(57)【特許請求の範囲】
【請求項１】
光源、および一端が開放された有底筒状に形成され前記光源を内部に収納して前記一端から前記光源の光を取り出す筐体を有する光源ユニットと、
前記光源の光の配光を制御する配光制御部材と、
前記筐体の開口端に前記配光制御部材を配置して保持する保持部材と、
一端が開放された有底筒状に形成され、底面には前記光源の光を取り出す窓孔が形成され、前記光源ユニット、前記配光制御部材、および前記保持部材を内部に収納する器具ケースと、
前記光源ユニットおよび前記器具ケースを支持する支持部と
を備え、
前記筐体の外側面には、軸方向に沿って前記開口端に達する溝が形成され、
前記保持部材における前記筐体と接する部分のうち前記溝に対応する部位には、前記溝に嵌るリブが形成され、
前記器具ケースの内側面には、前記保持部材における前記筐体と接する部分の反対側に接して前記保持部材の移動を規制する規制部が形成されている
ことを特徴とする照明器具。
【請求項２】
前記保持部材は、前記光源ユニットと前記規制部とで挟まれた状態で弾性変形する弾性素材で形成され、
前記リブは、前記溝に嵌った状態で弾性変形する弾性素材で形成されていることを特徴とする請求項１に記載の照明器具。
【請求項３】
前記リブと前記溝とは各々、複数形成されていることを特徴とする請求項１又は２に記載の照明器具。
【請求項４】
前記規制部は、前記器具ケースの軸と直交する方向の張り出し寸法が前記光源ユニットから離れるにつれて小さくなるテーパ部を有する
ことを特徴とする請求項１〜３の何れか１項に記載の照明器具。
【請求項５】
前記保持部材には、前記筐体の軸方向と直交する方向に張り出て前記規制部と接する鍔部が形成されている
ことを特徴とする請求項１〜４の何れか１項に記載の照明器具。
【請求項６】
前記規制部は、前記器具ケースの内側面から張り出すリブ状に形成されていることを特徴とする請求項１〜５の何れか１項に記載の照明器具。
【請求項７】
前記規制部は、前記器具ケースの内側面の全周から張り出す環状に形成されていることを特徴とする請求項１〜５の何れか１項に記載の照明器具。
【発明の詳細な説明】
【技術分野】
【０００１】
本発明は、一般に照明器具、より詳細には、配光制御部材を有する照明器具に関する。
【背景技術】
【０００２】
従来、光源ランプを搭載した灯具本体（光源ユニット）と、灯具本体に取り付けられ両側が開口している円筒状のフード部（器具ケース）と、円板状カラーフィルタ（配光制御部材）とを備えたスポットライトがあった（例えば特許文献１参照）。フード部は、光源ランプの周囲を覆うように灯具本体に取り付けられ、円板状カラーフィルタは、フード部に取り付けられて光源ランプの前方に配置される。フード部の一方の開口部には灯具本体が着脱自在に取り付けられ、フード部の他方の開口部から円板状カラーフィルタを通った光源ランプの光が放射される。円板状カラーフィルタは、灯具本体から取り外された状態でフード部の一方の開口部から挿入され、他方の開口部を覆う位置に配置されている。円板状カラーフィルタは、フード部の他方の開口部側の段部とフィルタ押さえリングとに挟まれて位置規制されている。
【先行技術文献】
【特許文献】
【０００３】
【特許文献１】特開２００６−１９１７０号公報
【発明の概要】
【発明が解決しようとする課題】
【０００４】
特許文献１に記載の照明器具では、円板状カラーフィルタ（配光制御部材）を交換するために、フード部（器具ケース）の一方の開口部から他方の開口部寄りの取付位置まで手を入れる必要があった。そのため、フード部の前後の寸法（一方の開口部の縁部分から他方の開口部の縁部分までの寸法）が大きいと取付位置まで手が届きにくくなり、円板状カラーフィルタを交換しにくくなるという問題があった。
【０００５】
本発明は上記課題に鑑みて為され、配光制御部材の交換の作業性を向上させた照明器具を提供することを目的とする。
【課題を解決するための手段】
【０００６】
上記課題を解決するために、本発明の照明器具は、光源ユニットと、配光制御部材と、保持部材と、器具ケースと、前記光源ユニットおよび前記器具ケースを支持する支持部とを備え、以下のように構成されていることを特徴とする。前記光源ユニットは、光源、および一端が開放された有底筒状に形成され前記光源を内部に収納して前記一端から前記光源の光を取り出す筐体を有する。前記配光制御部材は、前記光源の光の配光を制御する。前記保持部材は、前記筐体の開口端に前記配光制御部材を配置して保持する。前記器具ケースは、一端が開放された有底筒状に形成され、底面には前記光源の光を取り出す窓孔が形成され、前記光源ユニット、前記配光制御部材、および前記保持部材を内部に収納する。前記筐体の外側面には、軸方向に沿って前記開口端に達する溝が形成されている。前記保持部材における前記筐体と接する部分のうち前記溝に対応する部位には、前記溝に嵌るリブが形成されている。前記器具ケースの内側面には、前記保持部材における前記筐体と接する部分の反対側に接して前記保持部材の移動を規制する規制部が形成されている。
【発明の効果】
【０００７】
本発明によれば、配光制御部の交換の作業性を向上させた照明器具を実現できる。
【図面の簡単な説明】
【０００８】
【図１】実施形態に係る照明器具の斜視図である。
【図２】実施形態に係る照明器具の正面図である。
【図３】実施形態に係る照明器具のＡ−Ａ線断面図である。
【図４】実施形態に係る照明器具の他の要部を説明する断面斜視図である。
【図５】実施形態に係る照明器具の要部を説明する分解斜視図である。
【図６】実施形態に係る照明器具の要部を説明する断面斜視図である。
【図７】実施形態に係る照明器具の他の要部を説明する底面図である。
【図８】実施形態の変形例に係る照明器具の他の要部を説明する断面図である。
【発明を実施するための形態】
【０００９】
以下、本実施形態の照明器具１について図に基づいて説明する。以下の説明では図１に示す各々の矢印の方向を前後方向、上下方向、左右方向と規定して説明する。なお、この方向は説明の便宜上定義し、実際の使用状態での方向を上記の方向に限定する趣旨ではない。
【００１０】
照明器具１は、例えば建物の造営面（壁材など）に取り付けられるスポット照明器具として用いられる。また、照明器具１の設置場所や角度を変えることなく照明範囲を変更できるように、光源からの光の配光を制御する配光制御部材を着脱自在に取り付けられるように構成されている。
【００１１】
また照明器具１は、屋外でも使用できるように、水の浸入を抑制したい箇所には部材間に弾性部材（例えばパッキンなど）を挟むなどして防水性を高めている。
【００１２】
照明器具１は、図１および図２に示すように、ケース５（器具ケース）と、ケース５を支持する支持部６とを備えている。
【００１３】
ケース５は、アルミダイカスト成型品からなり、一端（本実施形態では下端）が開放された有底筒状に形成されている。ケース５の内側には、後述する光源ユニット２が収納される。ケース５の底面（本実施形態では上面）を形成している枠５１（底面）には、光源ユニット２からの光を取り出す窓孔５２が形成されている。
【００１４】
ケース５の開口部（本実施形態では下向きの開口部）の縁には、図３に示すように、凸部５０６が形成されている。支持部６の開口端の縁には、凸部５０６に嵌る環状の溝５０５が形成されている。ケース５の凸部５０６を溝５０５に嵌めた状態でケース５が支持部６に取り付けられる。
【００１５】
ケース５および光源ユニット２は、支持部６にねじ止めされる。支持部６は、アルミダイカスト成型品からなり、ケース５とほぼ同じ直径の円筒状に形成されていて、ケース５が取り付けられた状態で支持部６の周面はケース５の周面と面一となる。
【００１６】
支持部６の周面（本実施形態では図１の左側の周面）には、ヒンジ部７１が設けられている。ヒンジ部７１は、支持部６と一体成型されたアルミダイカスト成型品からなる。ヒンジ部７１は、円筒状に形成され、軸が支持部６の径方向（本実施形態では前後方向）となるように設けられている。ヒンジ部７１の前面には、ヒンジ部７１とほぼ同じ直径を有する円筒状に形成されたヒンジ部７２が配置される。ヒンジ部７１とヒンジ部７２とは同軸となるように前後方向に重ねて配置される。ヒンジ部７１とヒンジ部７２とには、軸にボルトを通すための孔７３が形成されていて、孔７３を通されたボルトとナットとでヒンジ部７１とヒンジ部７２とが挟まれて互いの位置が規制される。また、ボルトを緩めることによりヒンジ部７１とヒンジ部７２とが互いにボルトを軸として回転自在となる。
【００１７】
ヒンジ部７２の周面（本実施形態では図１の左側の周面）には、筒状の腕部７４が形成されている。腕部７４は軸が左右方向に沿うように配置されていて、固定部８に取り付けられる。腕部７４の先端部分（本実施形態では図１の左端部分）には開口部が形成されていて、腕部７４の周面にはねじ孔７５が形成されている。ねじ孔７５については後述する。
【００１８】
ヒンジ部７１、ヒンジ部７２、腕部７４および固定部８は各々中空に形成されていて、各々の内部を電線が通る。電線は商用電源と電源ユニット（後述）とを電気的に接続する。
【００１９】
固定部８は、造営面に取り付けられた取付金具などにねじ止めされて取り付けられる。固定部８は、例えばアルミダイカスト成型品からなり、有底筒状に形成されていて、一端が開口している。固定部８の底面には外向きに張り出す円筒状の凸部および凸部の周面を外側から覆う周壁８１が形成されている。凸部および周壁８１は各々、固定部８と同軸な中空円筒状に形成されている。凸部を腕部７４の内側に挿入すると、凸部の周面がねじ孔７５と対向し、ねじ孔７５にねじをねじ込むことで腕部７４が固定部８に対して位置決めされる。また、ねじを緩めることで腕部７４は固定部８に対して凸部を軸として回転自在となる。
【００２０】
ヒンジ部７１，７２を通るねじと、ねじ孔７５にねじ込まれるねじとを各々締めこむことで、ケース５の向きが造営面に対して固定される。
【００２１】
ヒンジ部７１，７２を通るねじと、ねじ孔７５にねじ込まれるねじとを各々緩めると、ケース５の向きを変更することができる。これにより、固定部８が造営面に取り付けられた状態でケース５から放射される光の方向を調整できる。
【００２２】
なお、本実施形態ではケース５、支持部６、および固定部８は各々アルミダイカスト成型品からなるが、適宜の材料で形成されていてもよい。
【００２３】
次に、ケース５の内側の構造について図３、図４、および図５を参照して説明する。なお、図５では、説明をわかりやすくするために光源ユニット２および保持部材４のみを図示して他の部材を省略している。
【００２４】
ケース５は、光源ユニット２と、配光制御部材３と、保持部材４とを内部に収納する。
【００２５】
ケース５の底面（本実施形態では上面）には、図３に示すように、枠５１と窓孔５２とが形成されている。窓孔５２はケース５と同軸となる位置に形成され、パネル５０１で覆われている。
【００２６】
パネル５０１は透光性の材料（例えば強化ガラスなど）により円板状に形成されている。パネル５０１の縁部分は全周がパッキン５０２に覆われている。パッキン５０２は弾性素材（例えばエチレンプロピレンゴムなど）で円環状に形成されていて、円環の内周面に形成された溝５０８にパネル５０１の縁部分を嵌めて保持している。
【００２７】
パッキン５０２の外周面には鍔５０３が形成されていている。パッキン５０２は、鍔５０３に形成された孔を通るねじ５０４によって枠５１の下面にねじ止めされている。パッキン５０２は、枠５１とパネル５０１とで挟まれて隙間を埋めることにより窓孔５２からケース５内部に水や埃などが侵入することを抑制している。
【００２８】
窓孔５２の下方には、円筒状の光源ユニット２が窓孔５２と同軸となるように配置されている。
【００２９】
光源ユニット２は、開口端２４を有する有底円筒状の筐体２２と、底板２５と、開口端２４を覆うレンズ２６と、筐体２２に収納されるＬＥＤ（Light Emitting Diode）２１（光源）とを備えている。
【００３０】
筐体２２は、有底円筒状の下側筐体２２１と、有底円筒状の筒状の外側筐体２２２と、両端が開口した円筒状の内側筐体２２３とを有する。
【００３１】
筐体２２の下面（下側筐体２２１の底面）には、図４に示すように、円板状の底板２５が配置される。底板２５の上面には、角柱状の放熱部２５１が一体に形成されている。底板２５は、例えばアルミダイカスト成型品からなる。放熱部２５１は、後述するＬＥＤモジュール２１２に熱的に接合されてＬＥＤ２１の熱を放熱するために設けられている。
【００３２】
放熱部２５１の上面には、後述するホルダ２１１を固定するためのねじ穴が形成されている。
【００３３】
下側筐体２２１は、開口部が上向きとなるように底部２２６が下側に配置される。下側筐体２２１は、直径がおよそ底板２５の直径とほぼ同じ寸法となるように形成されている。下側筐体２２１の底部２２６には、放熱部２５１の周囲を覆う覆い部２２５が上向きに張り出すように形成されている。覆い部２２５は上下方向から見て角筒状に形成されていて、筒内部は軸方向（上下方向）に貫通している。覆い部２２５の内部には放熱部２５１が配置される。覆い部２２５の張り出し寸法（高さ寸法）は、放熱部２５１の高さ寸法とほぼ同じ寸法に形成されていて、覆い部２２５の縁部分と放熱部２５１の上面とは面一になるように形成されている。
【００３４】
覆い部２２５と下側筐体２２１の内周面との間には、ＬＥＤ２１を発光させるための電力を供給する電源ユニットが配置される。電源ユニットは、例えば入力される交流電圧をスイッチング電源などによって所望の直流電圧に変換して、ＬＥＤ２１に出力するように構成される。なお、電源ユニットを構成する回路素子は、基板２７上（上面および下面）に実装されているが、本実施形態では電源ユニットの回路素子の図示を省略している。
【００３５】
基板２７は、円板状に形成され、中央部分には覆い部２２５の外周の形状に沿う孔２７１が形成されている。基板２７の外周部分は、下側筐体２２１の内側面に沿うように形成されている。基板２７は、孔２７１に覆い部２２５を通した状態で底部２２６と平行するように下側筐体２２１内に取り付けられる。基板２７は、例えば下側筐体２２１の内側面の突起と、覆い部２２５の外側面の突起とに接して位置規制される。
【００３６】
下側筐体２２１の内側には、ＬＥＤモジュール２１２が開口部から露出するように配置される。ＬＥＤモジュール２１２は、矩形状の基板を有し、その基板上にＬＥＤ２１が実装されている。ＬＥＤモジュール２１２は、レンズ２６（開口端２４）と平行するように配置されていて、ＬＥＤ２１は開口端２４に向かって光を放射する。
【００３７】
ＬＥＤモジュール２１２は、外周部分を樹脂製のホルダ２１１に保持されている。ホルダ２１１は、ＬＥＤモジュール２１２よりも上下左右の寸法が大きい矩形状に形成されていて、中央部分にＬＥＤ２１を露出させる孔が形成されている。ホルダ２１１は、ＬＥＤ２１を露出させた状態でＬＥＤモジュール２１２を保持する。ホルダ２１１には、ねじ２１３を通すための孔が形成されていて、ねじ２１３を放熱部２５１のねじ穴にねじ込むことにより、ＬＥＤモジュール２１２と放熱部２５１とが接して熱的に結合される。ＬＥＤ２１の点灯時に発生する熱は、放熱部２５１を介して底板２５に伝わり放熱される。
【００３８】
内側筐体２２３は、下側筐体２２１と同軸となるように配置されている。内側筐体２２３の内周面には、内周面の全周から斜め下方向（ＬＥＤ２１に向かう方向）に張り出した反射板２８が形成されている。反射板２８の中央部分（つまりＬＥＤ２１と対向する部位）には窓孔２８１が形成されている。反射板２８は、窓孔２８１を通ったＬＥＤ２１の光を開口端２４に向けて反射する。
【００３９】
反射板２８の下面には、下方向（ＬＥＤモジュール２１２に向かう方向）に張り出すように形成されてホルダ２１１の縁に引っかかる係止部２８２が設けられている。係止部２８２と内側筐体２２３の外周部分とにより、反射板２８がＬＥＤ２１に対して位置規制されている。
【００４０】
内側筐体２２３の下側の開口端の外周部分は、環状のパッキン２２７の内周面に接している。パッキン２２７は、外側筐体２２２の開口端と、下側筐体２２１の開口端とで挟まれて位置規制されている。パッキン２２７は、外側筐体２２２の開口端と下側筐体２２１の開口端と内側筐体２２３の下側の開口端とに接して各々の隙間を埋めることにより筐体２２の気密性を高めている。また、パッキン２２７は、内側筐体２２３の下側の開口端に接して内側筐体２２３の径方向への位置ずれを抑制している。
【００４１】
外側筐体２２２は下向きに開口部を有していて上面にレンズ２６が設けられた円筒状に形成されている。レンズ２６は、透光性の部材で形成された外側筐体２２２の底部を構成し、内側筐体２２３の開口端２４を覆う位置に配置される。レンズ２６は、例えばフレネルレンズで構成されていて、ＬＥＤ２１および反射板２８からの放射状の光を平行光にするために設けられている。外側筐体２２２の下端からレンズ２６の下面までの寸法は、内側筐体２２３の軸方向の寸法（高さ寸法）とほぼ同じ寸法となるように形成されている。本実施形態の外側筐体２２２は、内側筐体２２３の開口端２４にレンズ２６を配置し、且つ内側筐体２２３の外周を覆う覆い部である。
【００４２】
なお、本実施形態の筐体２２は上記構成を有しているが、光源ユニット２が上記構成の筐体２２を有することに限定される趣旨ではない。光源ユニット２は、光源およびその光源を有する筐体を備えていてその筐体に設けられた開口端から光源の光を放射するように構成されていれば、任意の構成でもよい。
【００４３】
外側筐体２２２の外周面には、図５に示すように、軸方向に沿う３本の溝２３が形成されている。溝２３は、レンズ２６の上面まで達するように形成されている。外側筐体２２２のうち最も右側に位置する外周部分（図７の右側）に１本の溝２３が形成され、そこから外側筐体２２２の軸を中心に１２０度ずつ異なる位置に溝２３が形成されている。溝２３の形状は、上下方向から見て円筒状となるように形成されている。なお、溝２３の形状は、円筒状に限定されず、矩形状や多角形状などの適宜の形状でよい。また、溝２３の本数は３本に限定されず、任意の数だけ形成されていてよい。さらに、溝２３の位置は、光源ユニット２の外周面に形成されていれば適宜の位置でよい。
【００４４】
外側筐体２２２および下側筐体２２１には各々、軸方向に沿ってねじ２９が挿入される孔が形成されている。この孔は、外側筐体２２２および下側筐体２２１で同軸となるように形成されていて、外側筐体２２２および下側筐体２２１を貫く。ねじ２９は、外側筐体２２２から底板２５に向かって挿入され、底板２５のねじ孔にねじ込まれる。ねじ２９は、ねじ頭と底板２５とで外側筐体２２２の周壁と下側筐体２２１の周壁とを挟んで固定する。本実施形態では、３本のねじ２９が底板２５のねじ孔にねじ込まれている。
【００４５】
レンズ２６の上面に形成されたこのねじ孔の開口部分には、ねじ２９のねじ頭の高さ寸法よりもわずかに深い段部が形成されていて、レンズ２６の上面からねじ２９のねじ頭が張り出さないようになっている。なお、本実施形態の光源ユニット２は３本のねじ２９を有しているが、外側筐体２２２と下側筐体２２１と底板２５とが固定される適宜の手段を有していれば、ねじ２９を有していなくてもよい。
【００４６】
下側筐体２２１には、溝２３に対応する部位に溝２２４が形成されている。溝２２４は、溝２３と直線をなすように軸方向に沿って形成されている。底板２５のうち溝２２４に対応する部位に孔２５２が形成されていて、溝２２４側から孔２５２に通されたねじが支持部６にねじ込まれて光源ユニット２が支持部６に取り付けられる。本実施形態では、孔２５２は３個形成されている。なお、光源ユニット２を支持部６に適宜の方法で取り付けることができる場合には、溝２２４および孔２５２を省略することができる。
【００４７】
なお、筐体２２は、外側筐体２２２、内側筐体２２３、下側筐体２２１を有する構成に限定されず、有底筒状に形成されていて開口端から光源の光を放射するように構成されていて、外側面に溝２３が形成されていればよい。
【００４８】
ケース５と光源ユニット２とは各々、図３に示すように、支持部６にねじ止めされる。支持部６には、上方に張り出す円柱６１が形成されている。円柱６１には軸にねじ穴が形成されていて、底板２５を通るねじがねじ込まれる。底板２５の孔２５２を通されたねじが円柱６１のねじ穴にねじ込まれて、光源ユニット２が支持部６に取り付けられる。また、支持部６の下方から通されたねじをケース５のねじ穴５０７（図７参照）にねじ込まれて、ケース５が支持部６に取り付けられる。なお、支持部６は、ケース５と光源ユニット２とを固定できるように構成されていればよく、円柱６１や溝５０５を省略してもよい。
【００４９】
光源ユニット２の開口端２４側（本実施形態ではレンズ２６の上面側）には、円板状の配光制御部材３と、保持部材４とが配置されている。配光制御部材３は、例えば入射光の入射角度よりも放射光の放射角度を大きくするように構成されていて、ＬＥＤ２１の光を拡散して、より広い範囲を照らすために用いられる。なお、配光制御部材３は、光の照射範囲を広げることに限定されず、光の照射範囲を狭めたり、光の色や偏光方向を変えたりするなどの適宜の配光制御を行う部材でよい。
【００５０】
保持部材４は、図５に示すように、弾性部材（本実施形態ではシリコンゴム）からなり、両端が開口した円筒状に形成されている。保持部材４の内周面には、全周に溝４０２が形成されていて、溝４０２に配光制御部材３の縁部分を嵌めこむことにより配光制御部材３が保持部材４に保持される。
【００５１】
保持部材４には、径方向に張り出した鍔部４２と、下面から軸方向に張り出したリブ４１とが形成されている。
【００５２】
リブ４１は、保持部材４において、開口端２４と対向する面（本実施形態ではレンズ２６と接する面）に設けられる。リブ４１は、外側筐体２２２の外周面の溝２３に対応する部位に形成される。リブ４１は、上下方向から見て溝２３の直径よりもやや大きい直径の円柱状に形成されている。そのためリブ４１は溝２３に挿入される際に弾性変形し、溝２３の周壁を押し付けた状態で溝２３に嵌る。リブ４１が溝２３に嵌ることで保持部材４が光源ユニット２に対して位置決めされ、配光制御部材３が開口端２４と対向する位置に保持される。配光制御部材３に入射した光は、窓孔４０１を通って外部に放射される。
【００５３】
鍔部４２は、外側筐体２２２の開口端と接する面と面一になるように外周面の下寄りの部位から径方向に張り出している。なお、本実施形態の鍔部４２は、保持部材４の外周面のうち、左右方向の外周面から張り出していて、前後方向の外周面から張り出していない（図７参照）が、この構成に限定されず、例えば保持部材４の外周面の全周から張り出していてもよい。
【００５４】
鍔部４２における外側筐体２２２の開口端と接する面と反対の面（本実施形態では鍔部４２の上表面）には、ケース５の内周面に形成された規制部５３が接する。規制部５３は、ケース５の内周面から張り出す角柱状に形成されている。規制部５３は、保持部材４が外側筐体２２２から離れないように保持部材４の軸方向への移動を規制している。
【００５５】
ここで、保持部材４が配光制御部材３をレンズ２６の上面（つまり開口端２４を覆う位置）に配置して保持する構成について図６および図７を参照して説明する。
【００５６】
図６に示すように、リブ４１を溝２３に嵌めて保持部材４をレンズ２６の上面に配置すると、配光制御部材３がレンズ２６の上面を覆う。３本のリブ４１が各々溝２３に嵌っているため、保持部材４は、配光制御部材３が外側筐体２２２の軸方向と直交する方向（本実施形態における前後左右方向）に対してずれることを抑制している。なお、本実施形態ではリブ４１は３本で構成されているが、リブ４１と溝２３とは同じ数設けられていれば任意の数設けられていてもよい。
【００５７】
リブ４１が溝２３に嵌っている状態でケース５を支持部６に取り付けると、鍔部４２の上面（つまり鍔部４２における外側筐体２２２と接している面と反対側の面）に規制部５３が接する。そのため、保持部材４は溝２３に沿う方向（外側筐体２２２の軸方向）への移動が規制されて、リブ４１が溝２３から抜けにくくなっている。
【００５８】
規制部５３は、図７に示すように、本実施形態ではケース５の内側面の４個形成されている。規制部５３は、ケース５の右側の内周面（図７の右側）に２個形成されていて、最も右側に配置されるリブ４１の前後方向（図７の上下方向）に各々配置されている。他の２個の規制部５３は、ケース５の中心と左右対称な位置に形成されている。
【００５９】
規制部５３は、鍔部４２の上面における外周寄りの部位に接するように形成されている。規制部５３の位置をレンズ２６（開口端２４）から遠ざけることにより、規制部５３がＬＥＤ２１の光を遮りにくくなっている。
【００６０】
３本のリブ４１が各々溝２３に嵌められた状態で規制部５３が鍔部４２に接して保持部材４の軸方向への移動を規制しているので、保持部材４は外側筐体２２２に対して位置ずれしにくくなる。したがって、保持部材４に保持されている配光制御部材３がレンズ２６の上面（つまり筐体２２の開口端２４を覆う位置）で保持されている。
【００６１】
ここで、配光制御部材３の交換手順について図３を参照して説明する。
【００６２】
配光制御部材３は、保持部材４に保持された状態で、光源ユニット２の上面とケース５の規制部５３との間に配置されている。
【００６３】
ケース５を支持部６から取り外すと、支持部６から光源ユニット２が上方に突き出た形となり、光源ユニット２の上面から保持部材４と配光制御部材３とが露出する。作業者は、保持部材４を上方に移動させて、３本のリブ４１を各々溝２３から抜いて、配光制御部材３を光源ユニット２から取り外す。作業者は、別の保持部材４にあらかじめ取り付けられている別の配光制御部材３を、光源ユニット２の上面に置く。別の配光制御部材３とは例えば、元の配光制御部材３と同じ配光特性を有する交換部品や、配光特性の異なる配光制御部材などである。作業者は、３本のリブ４１を各々の溝２３に合わせて下方向にリブ４１を押し込むことにより、リブ４１が弾性変形して溝２３に嵌る。リブ４１は溝２３に嵌った状態で弾性変形しているため、リブ４１の周面が溝２３の周面に押し付けられ、摩擦力により保持部材４が光源ユニット２の上面から離れにくくなっている。そのため作業者が配光制御部材３を光源ユニット２の上面に仮保持させやすくなり、配光制御部材３の交換作業をしやすくなる。
【００６４】
なお、配光制御部材３を交換する際に、保持部材４および配光制御部材３を１組と考えて新しい１組に交換してもよいし、保持部材４から配光制御部材３を取り外し、元の保持部材４に新しい配光制御部材３を取り付けて光源ユニットに取り付けてもよい。
【００６５】
光源ユニット２の上面に交換後の配光制御部材３および保持部材４が取り付けられた状態で、ケース５を支持部６に取り付けると、規制部５３が鍔部４２の上面に接する。ケース５を支持部６に取り付けて、支持部６の孔を通したねじをケース５のねじ穴５０７（図７参照）にねじ込むと、ケース５と支持部６とが固定される。このとき、ケース５の規制部５３が保持部材４の鍔部４２に接して保持部材４を外側筐体２２２の上面の縁部分に押し付ける。保持部材４は、本実施形態ではシリコンゴムで形成されているので、規制部５３と外側筐体２２２とに挟まれて弾性変形した状態で、配光制御部材３を保持している。そのため保持部材４と光源ユニット２との密閉性が高まり、光源ユニット２内に水や埃などが浸入することを抑制できる。
【００６６】
以上説明したように、本実施形態の照明器具１は、光源ユニット２と、配光制御部材３と、保持部材４と、ケース５（器具ケース）と、光源ユニット２およびケース５を支持する支持部６とを備えている。光源ユニット２は、ＬＥＤ２１（光源）、および一端（本実施形態では開口端２４）が開放された有底筒状に形成されＬＥＤ２１を内部に収納して前記一端からＬＥＤ２１の光を取り出す筐体２２を有する。配光制御部材３は、ＬＥＤ２１の光の配光を制御する。保持部材４は、筐体２２（内側筐体２２３）の開口端２４に配光制御部材３を配置して保持する。ケース５は、一端が開放された有底筒状に形成され、枠５１（底面）にはＬＥＤ２１の光を取り出す窓孔５２が形成され、光源ユニット２、配光制御部材３、および保持部材４を内部に収納する。支持部６は、光源ユニット２およびケース５を支持する。筐体２２の外側面には、軸方向に沿って開口端２４に達する溝２３（（本実施形態ではレンズ２６の上面に達する溝２３）が形成されている。保持部材４における筐体２２と接する部分のうち溝２３に対応する部位には、溝２３に嵌るリブ４１が形成されている。ケース５の内側面（本実施形態では内周面）には、保持部材４における筐体２２と接する部分の反対側に接して保持部材４の移動を規制する規制部５３が形成されている。
【００６７】
作業者がケース５を支持部６から取り外して光源ユニット２を露出させると、配光制御部材３および保持部材４が露出するので、配光制御部材３の交換作業がしやすい。また、リブ４１を溝２３に嵌めることにより配光制御部材３が開口端２４を覆った状態で光源ユニット２に位置決めされ、配光制御部材３を光源ユニット２に仮保持させやすいので、配光制御部材３の交換作業がしやすい。さらに、保持部材４が、規制部５３と光源ユニット２とで挟まれて位置規制されるので、保持部材４を位置規制するための部材（例えばねじなど）が不要となり、照明器具１に必要な部品数を減らすことができることも好ましい。
【００６８】
本実施形態の照明器具１において、保持部材４は、光源ユニット２と規制部５３とで挟まれた状態で弾性変形する弾性素材（本実施形態ではシリコンゴム）で形成されることも好ましい。リブ４１は、溝２３に嵌った状態で弾性変形する弾性素材（本実施形態ではシリコンゴム）で形成されていることも好ましい。保持部材４は、光源ユニット２と規制部５３とで挟まれた状態で弾性変形するので、保持部材４が光源ユニット２と規制部５３とに接して安定した状態で配光制御部材３を保持できる。また、配光制御部材３を交換する際に、保持部材４を光源ユニット２の上面に配置してリブ４１を溝２３に押し込むとリブ４１が弾性変形して溝２３に嵌るので抜けにくくなる。保持部材４が光源ユニット２の上面に安定して仮保持されるので、配光制御部材３の交換作業がしやすくなる。
【００６９】
リブ４１と溝２３とは各々、複数形成されていることが好ましい。複数のリブ４１が対応する溝２３に嵌ることにより、保持部材４および配光制御部材３が筐体２２の径方向および周方向に位置ずれしにくくなる。
【００７０】
保持部材４には、光源ユニット２の軸方向と直交する方向（本実施形態では光源ユニット２の径方向）に張り出て規制部５３と接する鍔部４２が形成されていることも好ましい。保持部材４に鍔部４２を形成することで、規制部５３が接する面積を大きくすることができるので、保持部材４の位置ずれを抑制しやすくなる。
【００７１】
規制部５３は、ケース５（器具ケース）の内側面（本実施形態では内周面）から張り出すリブ状に形成されていることも好ましい。ケース５を形成する際に規制部５３も形成できるので、規制部５３を有するケース５を効率よく形成できる。
【００７２】
ここで、本実施形態の変形例として、規制部５３にテーパ部５３１を形成したケース５について図８を参照して説明する。
【００７３】
変形例の規制部５３には、ケース５の径方向と直交する面にテーパ部５３１が形成されている。
【００７４】
テーパ部５３１は、規制部５３におけるケース５の内周面から径方向への張出寸法を、光源ユニット２から離れるにつれて小さくすることで形成されている。テーパ部５３１を規制部５３に形成することにより、ＬＥＤ２１および反射板２８から窓孔５２に向かう光が規制部５３に遮られにくくなり、光の取り出し効率を上げることができる。また、光の取り出し効率をさらに上げるために、枠５１のうちテーパ部５３１よりも内側に張り出す部位の寸法を小さくして直径を大きくした窓孔５２を形成してもよい。
【００７５】
以上説明したように、本実施形態の照明器具１において、規制部５３は、ケース５（器具ケース）の軸と直交する方向の張り出し寸法が前記光源ユニットから離れるにつれて小さくなるテーパ部５３１を有することが好ましい。ケース５の軸と直交する方向とは、本実施形態では、ケース５の径方向のことである。テーパ部５３１を規制部５３に形成することにより、ＬＥＤ２１および反射板２８から窓孔５２に向かう光が規制部５３に遮られにくくなり、光の取り出し効率を上げることができる。
【００７６】
なお、テーパ部は、規制部５３のうちケース５の内周面と直交する面にも形成されていてよい。例えば、図８に示すように、規制部５３のうちケース５の内周面と直交し且つケース５の軸と平行する面（側部５３２）にもテーパ部が設けられ、規制部５３の厚さ寸法（周方向の幅寸法）が光源ユニット２から離れるにつれて小さくなってもよい。つまり、規制部５３の厚さ寸法（ケース５の周方向に沿う幅寸法）および高さ寸法（ケース５の径方向に沿う幅寸法）のうち少なくとも一方の寸法が光源ユニット２から離れるにつれて小さくなるようにテーパ部が構成されていればよい。
【００７７】
また、本実施形態の規制部５３は、ケース５の内周面から張り出す角柱状に形成されているが、角柱状に限定されず、円柱状や多角形の柱状でもよい。また規制部５３は、ケース５の内周面から張り出すことに限定されず、枠５１の下面から張り出していてもよい。
【００７８】
さらに規制部５３は、ケース５の内周面の全周からケース５の軸に向かって環状に張り出すように形成されてもよい。規制部５３を環状に形成すると、規制部５３が鍔部４２と接する面積が大きくなるので、保持部材４を光源ユニット２に押し付ける力が大きくなり、保持部材４と光源ユニット２との位置ずれが起きにくくなる。また、保持部材４と光源ユニット２との間に隙間ができにくくなるので、水や埃などが光源ユニット２に侵入しにくくなる。なお、環状の規制部５３は、ケース５の内周面に形成されるほかにも、例えば枠５１（底面）の下面から光源ユニット２を向く方向に張り出すように形成されてもよい。
【００７９】
さらに、環状に形成された規制部５３に、上述したテーパ部を設けてもよい。例えば、環状の規制部５３の径方向の内向きの張出寸法を、光源ユニット２から離れるにつれて小さくしたテーパ部を形成し、環状の規制部５３の開口部分の直径が光源ユニット２から離れるにつれて大きくすると、規制部５３がＬＥＤ２１の光を遮りにくくなる。
【００８０】
以上説明したように、本実施形態の照明器具１において、規制部５３は、ケース５（器具ケース）の内側面（本実施形態では内周面）の全周から張り出す環状に形成されていてもよい。環状の規制部５３は、リブ状の規制部５３に比べて鍔部４２と接する面積が大きいので、保持部材４を光源ユニット２に押し付ける力を大きくすることができ、保持部材４の位置ずれを抑制しやすくなる。
【００８１】
なお、本実施形態の規制部５３とリブ４１とは各々、図７に示す位置に配置されているが、この配置に限定される趣旨ではない。例えば、規制部５３はリブ４１と同軸となる位置（つまりリブ４１の真上）に設けられていてもよい。また、規制部５３は、鍔部４２が形成されていない保持部材４の場合、配光制御部材３の上面を覆う部位に接して保持部材４および配光制御部材３の位置を規制してもよい。
【００８２】
本実施形態の筐体２２の開口端２４は、レンズ２６で覆われているが、レンズ２６は省略されてもよい。その場合、例えば筐体２２は、有底筒状に形成され開口端から光源の光を放射するように構成されていて、且つ開口端に達する溝が筐体２２の外周面に形成されていればよい。
【００８３】
本実施形態の配光制御部材３は円板状に形成されているが、配光制御部材３の形状は円板状に限定されず、保持部材４に保持される適宜の形状でよく、例えば矩形板状や、平板状ではない形状（例えば球面レンズなど）でもよい。
【００８４】
また、ケース５、支持部６、および筐体２２の形状は、円筒状に限定されず、角筒状などの断面形状が多角形の筒状でもよい。
【００８５】
本実施形態のＬＥＤモジュール２１２は、レンズ２６（開口端２４）と平行するように配置されているが、この配置に限定されず、ＬＥＤモジュール２１２は、ＬＥＤ２１が開口端２４に向かって光を放射できるように配置されていればよい。
【符号の説明】
【００８６】
１  照明器具
２  光源ユニット
２１  ＬＥＤ（光源）
２２  筐体
２３  溝
２４  開口端
３  配光制御部材
４  保持部材
４１  リブ
４２  鍔部
５  ケース（器具ケース）
５１  枠（底面）
５２  窓孔
５３  規制部
５３１  テーパ部
６  支持部
【図１】
0006414687.tif 000002
【図２】
0006414687.tif 000003
【図３】
0006414687.tif 000004
【図４】
0006414687.tif 000005
【図５】
0006414687.tif 000006
【図６】
0006414687.tif 000007
【図７】
0006414687.tif 000008
【図８】
0006414687.tif 000009